(57)【要約】【課題】取り扱いが容易な浴槽台を提供すること。【解決手段】浴槽台１０は、平面視にて矩形形状とされた台部１１と、その台部１１を下方から支持する複数の支持脚１２と、を備える。台部１１には、その平面視における長辺部１１ａに、下方に向けて突出しかつ長辺部１１ａに沿って延びている取っ手３１が設けられている。取っ手３１は、長辺部１１ａの側から側面視した場合に、隣り合う支持脚１２の間において、それら各支持脚１２との間にそれぞれ所定のスペース４１を形成するよう配置されている。【選択図】図４
2020168318.tif 000002
【特許請求の範囲】
【請求項１】
平面視にて矩形形状とされた台部と、
その台部を下方から支持する複数の支持脚と、を備え、
前記台部には、その平面視における所定の辺部に、下方に向けて突出しかつ前記所定の辺部に沿って延びている取っ手が設けられ、
前記取っ手は、前記所定の辺部の側から側面視した場合に、隣り合う前記支持脚の間において、それら各支持脚との間にそれぞれ所定のスペースを形成するよう配置されていることを特徴とする浴槽台。
【請求項２】
前記取っ手は、前記所定の辺部の延びる方向の長さが下方に向かうにつれて小さくなるように形成されていることを特徴とする請求項１に記載の浴槽台。
【請求項３】
前記取っ手は、下方に突出する板状をなす板部を備え、
前記板部の下縁部に沿って前記板部の裏側へ突出する突出部によって、指掛け部が形成されていることを特徴とする請求項１又は２に記載の浴槽台。
【請求項４】
前記突出部は、前記下縁部と前記板部の前記各スペースに隣接する縁部とに連続して形成された突条部であり、
前記板部の表側の面が前記突条部にかけて曲面状をなしていることを特徴とする請求項３に記載の浴槽台。
【請求項５】
前記台部は、平面視にて長方形状とされており、
前記台部には、前記所定の辺部としての一対の長辺部にそれぞれ前記取っ手が設けられていることを特徴とする請求項１乃至４のいずれか一項に記載の浴槽台。
【請求項６】
平面視にて矩形形状とされた台部と、
その台部を下方から支持する複数の支持脚と、を備える浴槽台において、
前記台部よりも下方に、隣り合う前記支持脚を連結する長尺状の連結材が設けられ、
前記連結材には、前記隣り合う支持脚に連結される両端部の間の中間部分により取っ手が形成されており、
前記連結材は、平面視において、前記取っ手が前記隣り合う支持脚よりも前記浴槽台の内側に位置するよう形成されており、それにより、前記隣り合う支持脚の間には前記取っ手よりも前記浴槽台の外側となる所定のスペースが形成されていることを特徴とする浴槽台。
【発明の詳細な説明】
【技術分野】
【０００１】
本発明は、浴槽台に関する。
【背景技術】
【０００２】
従来より、浴室の洗い場や浴槽内において踏み台や腰掛け等として用いられる浴槽台が知られている。浴槽台は、台部と、その台部を下方から支持する支持脚とを備えている（例えば特許文献１参照）。
【先行技術文献】
【特許文献】
【０００３】
【特許文献１】特開２００３−１２５９６６号公報
【発明の概要】
【発明が解決しようとする課題】
【０００４】
浴槽台を浴槽内に置いたり浴槽内から取り出したりする等、浴槽台を移動させる際には、例えば台部の縁や支持脚を持って移動させることが考えられる。しかしながら、そのように浴槽台を取り扱うのは比較的大変であると考えられ、その改善が求められる。
【０００５】
本発明は、上記事情に鑑みてなされたものであり、取り扱いが容易な浴槽台を提供することを主たる目的とするものである。
【課題を解決するための手段】
【０００６】
上記課題を解決すべく、第１の発明の浴槽台は、平面視にて矩形形状とされた台部と、その台部を下方から支持する複数の支持脚と、を備え、前記台部には、その平面視における所定の辺部に、下方に向けて突出しかつ前記所定の辺部に沿って延びている取っ手が設けられ、前記取っ手は、前記所定の辺部の側から側面視した場合に、隣り合う前記支持脚の間において、それら各支持脚との間にそれぞれ所定のスペースを形成するよう配置されている。
【０００７】
本発明によれば、平面視矩形の台部における所定の辺部に下方に向けて突出するように取っ手が設けられているため、浴槽台を移動させる際、その取っ手を持って移動させることができる。これにより、浴槽台の取り扱いを容易にすることができる。
【０００８】
ところで、浴槽台を浴槽内で使用する際には、台部における隣り合う各辺部のうち一方の辺部（例えば短辺部）が浴槽の長辺と平行となるように浴槽台を浴槽内に配置することになる。この場合、台部における一方の辺部が浴槽の壁に近接した状態で浴槽台が配置されるため、台部に取っ手を設けるにあたっては取っ手を台部における他方の辺部（例えば長辺部）に設けるのが望ましいと考えられる。
【０００９】
また、浴槽内で使用者が台部上に座る際には、使用者の足が他方の辺部側に向けられることになる。このため、取っ手を台部における他方の辺部に設けた場合、取っ手が使用者の足と同じ側に配置されることになり、使用者が取っ手を持って浴槽台を浴槽から引き出す際等において使い勝手がよくなると考えられる。そのため、この点からも、取っ手を台部における他方の辺部に設けるのが望ましいと考えられる。
【００１０】
しかしながら、取っ手を台部における他方の辺部に設ける場合、台部上に座る使用者の足と取っ手との干渉が問題となる。なぜなら、使用者が台部上に座ったり台部上から立ち上がったりする際には、その立ち座りをし易くするため、台部下に足を引いた状態で立ち座ることが考えられる。そのため、他方の辺部に下方に突出するよう取っ手を設けるとなると、他方の辺部にて使用者が台部下に足を引くためのスペース（以下、足引きスペースともいう）を確保するのが難しくなるおそれがあるからである。
【００１１】
そこで本発明では、このような点に鑑み、取っ手を、隣り合う支持脚の間でそれら各支持脚との間にそれぞれ所定のスペースを形成するように配置している。すなわち、隣り合う支持脚の間において足引きスペースは両端側にあればよいため、隣り合う支持脚の間の中間部に取っ手を配置し、その両側に足引きスペースを確保するようにしている。この場合、台部上に座る使用者の足と同じ側に取っ手を設けることで取っ手の使い勝手をよくしながらも、足引きスペースを利用して立ち座りをし易くすることができる。
【００１２】
第２の発明の浴槽台は、第１の発明において、前記取っ手は、前記所定の辺部の延びる方向の長さが下方に向かうにつれて小さくなるように形成されていることを特徴とする。
【００１３】
本発明によれば、取っ手の長さ（所定の辺部の延びる方向の長さ）が下方に向かうにつれて小さくなっているため、取っ手と支持脚との間のスペースを下側ほど幅広にすることができる。この場合、使用者が上記スペースを足引きスペースとして利用する上で、足を引き入れ易くすることができる。また、取っ手の長さは上側（基端側）ほど長くなっているため、取っ手の強度確保を図りながら上記の効果を得ることができる。
【００１４】
第３の発明の浴槽台は、第１又は第２の発明において、前記取っ手は、下方に突出する板状をなす板部を備え、前記板部の下縁部に沿って前記板部の裏側へ突出する突出部によって、指掛け部が形成されていることを特徴とする。
【００１５】
本発明によれば、取っ手が下方に突出する板部を備えて構成され、その取っ手には、板部の下縁部に沿って板部の裏側に突出する突出部により指掛け部が形成されている。この場合、指掛け部に指を掛けて取っ手を持つことができるため、取っ手を持ち易くすることができる。
【００１６】
また、例えば、取っ手を板状ではなく棒状とすることも考えられるが、その場合、強度面の問題から取っ手を金属材料により形成しなければならない等、補強時の制約が生じるおそれがある。また、棒状の取っ手の場合、取っ手を持って浴槽台を傾けた際に指が他の部分に干渉するおそれがある。その点、取っ手を板状とし、その裏側に突出する突出部により指掛け部を形成した上記の構成では、取っ手の強度確保を図り易いとともに、取っ手を持った際に指が他の部分に干渉しにくくすることができる。
【００１７】
第４の発明の浴槽台は、第３の発明において、前記突出部は、前記下縁部と前記板部の前記各スペースに隣接する縁部とに連続して形成された突条部であり、前記板部の表側の面が前記突条部にかけて曲面状をなしていることを特徴とする。
【００１８】
本発明によれば、突出部が板部の下縁部と板部における各スペースに隣接する縁部とに連続して形成された突条部となっている。この場合、使用者が取っ手を持った際に手が左右にずれるのを抑制することができるため、手が滑り易い浴室内において取っ手を安定した状態で持つことが可能となる。
【００１９】
また、取っ手の板部の表側面は突条部にかけて曲面状をなしているため、使用者が取っ手と支持脚との間のスペースに足を引き入れた際、その足が取っ手の縁に当たっても使用者は不快感を感じにくくなっている。
【００２０】
第５の発明の浴槽台は、第１乃至第４のいずれかの発明において、前記台部は、平面視にて長方形状とされており、前記台部には、前記所定の辺部としての一対の長辺部にそれぞれ前記取っ手が設けられていることを特徴とする。
【００２１】
一般に、浴槽台は、その台部が平面視において長方形状をなしている。かかる浴槽台を浴槽内で使用する場合、台部の各短辺部が浴槽の長辺と平行となるように浴槽台を浴槽内に配置することになる。この場合、台部の各短辺部が浴槽の壁と近接した状態で浴槽台が配置されるため、使用者は台部の長辺側に足を配置した状態で台部上に座ることになる。
【００２２】
そこで本発明では、この点に鑑み、台部における長辺部に取っ手を設けている。この場合、取っ手が、使用者が台部上に座る際に足が配置される側となる長辺部に設けられているため、使用者が取っ手を持って浴槽台を浴槽から取り出したりする際等において使い勝手がよいものとすることができる。また、取っ手が台部における各長辺部にそれぞれ設けられているため、取っ手を持って浴槽台を移動させる際等に、浴槽台の向き（例えば取っ手がいずれの側にあるか等）をいちいち気にする必要がなく、その点においても使い勝手がよいものとなっている。
【００２３】
第６の発明の浴槽台は、平面視にて矩形形状とされた台部と、その台部を下方から支持する複数の支持脚と、を備える浴槽台において、前記台部よりも下方に、隣り合う前記支持脚を連結する長尺状の連結材が設けられ、前記連結材には、前記隣り合う支持脚に連結される両端部の間の中間部分により取っ手が形成されており、前記連結材は、平面視において、前記取っ手が前記隣り合う支持脚よりも前記浴槽台の内側に位置するよう形成されており、それにより、前記隣り合う支持脚の間には前記取っ手よりも前記浴槽台の外側となる所定のスペースが形成されていることを特徴とする。
【００２４】
本発明によれば、隣り合う支持脚を連結する連結材により取っ手が形成されているため、浴槽台を移動させる際、その取っ手を持って移動させることができる。これにより、浴槽台の取り扱いを容易にすることができる。
【００２５】
また、連結材は、平面視にて取っ手が隣り合う支持脚よりも浴槽台の内側に位置するよう形成され、それにより、隣り合う支持脚の間には取っ手よりも浴槽台の外側となる所定のスペースが形成されている。この場合、そのスペースを使用者が台部上に座る際の足引きスペースとして利用することができる。これにより、使用者の足と同じ側に取っ手を設けることで取っ手の使い勝手をよくしながらも、足引きスペースを利用して立ち座りをし易くすることができる。
【図面の簡単な説明】
【００２６】
【図１】浴槽台を斜め上方から見た斜視図。
【図２】浴槽台を斜め下方から見た斜視図。
【図３】浴槽台を台部の長辺部側から見た側面図。
【図４】取っ手の周辺を斜め下方から見た斜視図。
【図５】浴槽台を浴槽内に配置した状態を示す平面図。
【図６】（ａ）が使用者が浴槽台に座った状態を示す正面図であり、（ｂ）が側面図である。
【図７】（ａ）が他の実施形態における取っ手周辺の構成を斜め上方から見た斜視図であり、（ｂ）が斜め下方から見た斜視図である。
【図８】他の実施形態における取っ手の構成を示す概略平面図。
【発明を実施するための形態】
【００２７】
以下に、本発明を具体化した一実施の形態について図面を参照しつつ説明する。なお、図１は浴槽台１０を斜め上方から見た斜視図であり、図２は浴槽台１０を斜め下方から見た斜視図である。
【００２８】
図１及び図２に示すように、浴槽台１０は、台部１１と、その台部１１を支持する複数の支持脚１２とを備える。台部１１は、平面視において矩形形状とされ、詳しくは長方形状とされている。これにより、台部１１は、平面視における４つの辺部のうち、２つの辺部が長辺部１１ａとなっており、残りの２つの辺部が短辺部１１ｂとなっている。また、台部１１の四隅にはそれぞれ支持脚１２が取り付けられている。
【００２９】
台部１１は、合成樹脂製の座部１３と、その座部１３を下方から支える金属製のフレーム体１４とを備える。座部１３は、天板部１５と、その天板部１５の周縁部から下方に延びる側板部１６とを有している。天板部１５は、平面視の形状が長方形状とされており、詳しくは、その四隅に天板部１５の対角線方向に張り出した張出部１５ａが形成されている。また、側板部１６は、天板部１５の周縁部に沿って環状に形成されている。
【００３０】
天板部１５の上面には座面シート１７が敷設されている。座面シート１７はクッション材により形成され、その上面が座面となっている。なお、座面シート１７は必ずしもクッション材により形成される必要はなく、ゴム材により形成されてもよい。
【００３１】
フレーム体１４は、アルミダイカストにより成形された平面視矩形の枠体からなる。フレーム体１４は、座部１３の天板部１５の下面側に設けられ、その周囲が側板部１６により囲まれた状態で配置されている。フレーム体１４は、矩形枠状をなす外周枠部２１を有している。外周枠部２１は、側板部１６の内面に沿って延びる４つ（４辺）の枠辺部２２，２３と、外周枠部２１の４隅に設けられた４つの筒状部２４とを有している。
【００３２】
各枠辺部２２，２３のうち、座部１３の長辺側に配置された一対の枠辺部２２は長辺側枠辺部２２となっており、座部１３の短辺側に配置された一対の枠辺部２３は短辺側枠辺部２３となっている。また、各筒状部２４は上下に延びる筒状をなしており、その筒状部２４により隣り合う枠辺部２２，２３同士が互いに連結されている。
【００３３】
なお、フレーム体１４は、外周枠部２１に加え、その外周枠部２１において対角に位置する筒状部２４同士を繋ぐとともに互いに交差した状態で接続される一対の繋ぎ部２５をさらに有している。これにより、フレーム体１４の強度向上が図られている。
【００３４】
フレーム体１４には、座部１３が着脱可能に取り付けられている。座部１３は、その天板部１５の下面側にフレーム体１４に係合可能な複数の係合部２６を有している。これらの係合部２６は、天板部１５の四隅付近にそれぞれ配置されている。座部１３は、その天板部１５がフレーム体１４の上に載置された状態で、各係合部２６がフレーム体１４の外周枠部２１に下方から係合されている。これにより、その係合によって、座部１３がフレーム体１４に着脱可能に取り付けられている。この場合、座部１３やフレーム体１４を清掃する際に、座部１３をフレーム体１４から取り外して清掃することが可能となっている。
【００３５】
支持脚１２は、上下方向に延びる筒状をなしており、金属製とされている。各支持脚１２は、その上端部がフレーム体１４の筒状部２４に挿入され、その挿入状態でフレーム体１４に取り付けられている。また、各支持脚１２は、その脚長さがそれぞれ調整可能とされている。
【００３６】
各支持脚１２の下端部には脚ゴム２７が取り付けられている。脚ゴム２７には、その底面部に吸盤２８が設けられている。脚ゴム２７と吸盤２８とはゴム材による一体成形により形成されている。
【００３７】
ここで、本浴槽台１０には、使用者が浴槽台１０を移動させる際に把持するための取っ手３１が設けられている。取っ手３１は、台部１１における各長辺部１１ａにそれぞれ設けられている。本浴槽台１０では、この取っ手３１に関する構成に特徴を有しており、以下においてはその特徴的な構成について図３及び図４を用いながら説明する。図３は、浴槽台１０を台部１１の長辺部１１ａ側から見た側面図である。図４は、取っ手３１の周辺を斜め下方から見た斜視図である。
【００３８】
図３及び図４に示すように、フレーム体１４の外周枠部２１の各長辺側枠辺部２２は、上側に座部１３の天板部１５が載置される載置板部２２ａと、その載置板部２２ａから下方に延び座部１３の側板部１６と対向する対向板部２２ｂとを有している。各長辺側枠辺部２２の対向板部２２ｂは座部１３の側板部１６よりも下方に延出した延出部分３２を有しており、それら各延出部分３２によりそれぞれ取っ手３１が形成されている。
【００３９】
各取っ手３１は、長辺側枠辺部２２の長手方向に延びる横長形状とされ、換言すると台部１１の長辺部１１ａに沿って延びる横長形状とされている。各取っ手３１は、長辺部１１ａにおける中間部に配置され、詳しくは中央部に配置されている。
【００４０】
各取っ手３１は、座部１３の側板部１６よりも下方に突出する板状をなす取っ手板部３３を備える。取っ手板部３３は、長辺部１１ａに沿って延びる横長形状とされ、全体として逆台形形状とされている。これにより、取っ手板部３３は、長辺部１１ａに沿う方向（以下、長辺方向という）の長さが下方に向かうにつれて小さくなっている。なお、取っ手板部３３が「板部」に相当する。
【００４１】
詳しくは、取っ手板部３３は、長辺方向に延びる下縁部３３ａと、その下縁部３３ａの両端部からそれぞれ上方に延びる一対の側縁部３３ｂとを有しており、各側縁部３３ｂが上側に向かうにつれ互いに離間するように傾斜して延びている。より詳しくは、下縁部３３ａの両端部にはそれぞれ円弧状をなす円弧部３３ｃが形成され、その円弧部３３ｃを介して下縁部３３ａが側縁部３３ｂと滑らかに接続されている。
【００４２】
取っ手板部３３には、その下縁部３３ａに沿って延び取っ手板部３３の裏側に突出する突出部３５が設けられている。本取っ手３１においてはこの突出部３５により指掛け部３６が形成されている。これにより、その指掛け部３６に指を掛けて取っ手３１を持つことが可能となっている。
【００４３】
また、突出部３５は、下縁部３３ａと各側縁部３３ｂと（円弧部３３ｃと）に連続して形成されており、詳しくは下縁部３３ａの全域と各側縁部３３ｂの全域とに亘って連続して形成された突条部とされている。また、取っ手板部３３の表側の面は突出部３５にかけて曲面状をなしており、詳しくは突出部３５にかけて円弧状をなす円弧面とされている。この円弧面は突出部３５の全域に亘って形成されている。
【００４４】
取っ手３１は、長辺部１１ａの側から側面視した場合、隣り合う支持脚１２の間に配置されており、詳しくは隣り合う支持脚１２の間における中央部に配置されている。この場合、取っ手３１は、上記側面視において、各支持脚１２からそれぞれ離間されており、これにより、取っ手３１と各支持脚１２との間にはそれぞれ所定のスペース４１が形成されている。なお、長辺部１１ａが「所定の辺部」に相当する。
【００４５】
各スペース４１は、使用者が浴槽台１０（台部１１）の上に座る際に、使用者の足を台部１１の下方に引き入れることを可能とする足引き用のスペースとなっている。後述するように、使用者が台部１１上に座る際には、その足を長辺部１１ａの側に配置した状態で座ることになる。そして、この際に、使用者の足を台部１１下に引くことができるよう、これらのスペース４１が設けられている。
【００４６】
また、上述したように、取っ手３１は、長辺方向の長さが下方に向かうにつれて小さくなっている。このため、取っ手３１を挟んだ両側の各スペース４１はその長辺方向の長さ（幅）が下側ほど大きくされており、そのため、これら各スペース４１は下側ほど幅広に形成されたスペースとなっている。また、これら各スペース４１は、取っ手３１を挟んで互いに対称となるように形成されている。
【００４７】
なお、取っ手３１の下端部の高さ位置、すなわち取っ手板部３３の下縁部３３ａの高さ位置は浴槽台１０の下端（詳しくは、浴槽台１０を洗い場床や浴槽の底面に載置する際に載置面となる脚ゴム２７の底面部）から６０ｍｍ以上上方の位置に設定されている。より詳しくは、支持脚１２の脚長さが最も短い長さに設定されている場合にも、取っ手３１の下端部が浴槽台１０の下端から６０ｍｍ以上上方に位置するように高さ位置が設定されている。これにより、万が一、使用者が取っ手３１の下方に足を入れたとしても、足が取っ手３１に引っ掛かって抜けなくなる事態が生じにくくなっている。
【００４８】
続いて、浴槽台１０の使用方法について図５及び図６を用いながら説明する。図５は、浴槽台１０を浴槽内に配置した状態を示す平面図である。図６は、（ａ）が使用者が浴槽台１０に座った状態を示す正面図であり、（ｂ）が側面図である。
【００４９】
図５に示すように、浴槽台１０を浴槽４５内で使用する場合には、台部１１の各短辺部１１ｂが浴槽４５の長辺と平行となるように浴槽台１０を浴槽４５内に配置する。この場合、浴槽台１０は、台部１１の各短辺部１１ｂが浴槽４５の壁４５ａ（周壁）に近接した状態で配置される。浴槽台１０を浴槽４５内に配置する際には、取っ手３１を持って浴槽台１０を浴槽４５内に移動させ配置する。この場合、取っ手３１は台部１１の長辺部１１ａに設けられているため、取っ手３１が持ち易くなっている。
【００５０】
浴槽台１０を浴槽４５内に配置した後、浴槽台１０を浴槽４５の底面４５ｂに上方から押し付けることで、浴槽台１０の下端に設けられた吸盤２８を底面４５ｂに対して吸着させる。これにより、浴槽台１０が底面４５ｂに対して固定された状態となる。
【００５１】
使用者Ｕは浴槽４５内に配置された浴槽台１０を踏み台として利用したり、腰掛けとして利用したりすることができる。例えば使用者Ｕが浴槽台１０を腰掛けとして使用する場合、使用者Ｕは台部１１の長辺部１１ａの側に足を配置した状態で台部１１上に座ることになる。この場合、使用者Ｕの足が配置される長辺部１１ａ側には上述したように取っ手３１が設けられている。このため、使用者Ｕが取っ手３１を持って浴槽台１０を浴槽４５から取り出す際等に好都合となっている。
【００５２】
ところで、取っ手３１が、使用者Ｕの足が配置される長辺部１１ａ側に設けられている場合、使用者Ｕの足と取っ手３１との干渉が生じるおそれがある。この点、本浴槽台１０では、取っ手３１が、長辺部１１ａおいて、当該取っ手３１の両側にそれぞれ所定のスペース４１を形成するように配置されている。このため、使用者Ｕが台部１１上に座る際には、図６（ａ）及び（ｂ）に示すように、両足をそれぞれ各スペース４１を通じて台部１１下に引いた状態で座ることが可能となっている。また、使用者Ｕが台部１１上に座ったり台部１１上から立ち上がったりする際にも、使用者Ｕは台部１１下に足を引いた状態で立ち座りすることが可能となっている。このため、本浴槽台１０によれば、取っ手３１を長辺部１１ａ側に設けることにより浴槽台１０の取り扱いをし易くしながらも、使用者Ｕの台部１１上への立ち座りがし易くなっている。
【００５３】
以上、詳述した本実施形態の構成によれば、以下の優れた効果が得られる。
【００５４】
台部１１の長辺部１１ａに、下方に向けて突出し長辺部１１ａに沿って延びる取っ手３１を設けたため、浴槽台１０を移動させる際、その取っ手３１を持って移動させることができる。これにより、浴槽台１０の取り扱いを容易にすることができる。また、かかる取っ手３１を、その長手方向の両側に所定のスペース４１を形成するよう配置したことで、上述したような効果を得ることができる。
【００５５】
取っ手３１の長さ（詳しくは長辺部１１ａの延びる方向の長さ）を下側に向かうほど小さくしたため、取っ手３１と支持脚１２との間のスペース４１を下側ほど幅広にすることができる。この場合、使用者が上記スペース４１を足引きスペースとして利用する上で、足を引き入れ易くすることができる。また、取っ手３１の長さは上側（取っ手基端側）ほど長くなっているため、取っ手３１の強度確保を図りながら上記の効果を得ることができる。
【００５６】
取っ手板部３３の下縁部３３ａに沿って取っ手板部３３の裏側に突出する突出部３５を設け、その突出部３５により指掛け部３６を形成した。この場合、指掛け部３６に指を掛けて取っ手３１を持つことができるため、取っ手３１を持ち易くすることができる。
【００５７】
ここで、例えば、取っ手３１を板状ではなく棒状とすることも考えられるが、その場合、強度面の問題から取っ手３１を金属材料により形成しなければならない等、補強時の制約が生じるおそれがある。また、棒状の取っ手の場合、取っ手を持って浴槽台を傾けた際に指が他の部分に干渉するおそれがある。その点、取っ手３１を板状とし、その裏側に突出する突出部３５により指掛け部３６を形成した上記の構成では、取っ手３１の強度確保を図り易いとともに、取っ手３１を持った際に指が他の部分に干渉しにくくすることができる。
【００５８】
突出部３５を、取っ手板部３３の下縁部３３ａと各側縁部３３ｂとに連続して形成して突条部とした。この場合、使用者が取っ手３１を持った際に手が左右にずれるのを抑制することができるため、手が滑り易い浴室内において取っ手３１を安定した状態で持つことが可能となる。
【００５９】
また、取っ手板部３３において各側縁部３３ｂはそれぞれ取っ手３１と支持脚１２との間のスペース４１に隣接している。この点、取っ手板部３３の表側の面を突条部（突出部３５）にかけて曲面状としたため、使用者が上記スペース４１に足を引き入れた際、その足が取っ手３１の縁に当たっても使用者は不快感を感じにくくなっている。
【００６０】
取っ手３１を各長辺部１１ａにそれぞれ設けたため、取っ手３１を持って浴槽台１０を移動させる際等に、浴槽台１０の向き（例えば取っ手３１がいずれの側にあるか等）をいちいち気にする必要がなく使い勝手がよい。
【００６１】
本発明は上記実施形態に限らず、例えば次のように実施されてもよい。
【００６２】
・上記実施形態では、取っ手３１をフレーム体１４の一部を用いて形成したが、これを変更して、取っ手をフレーム体１４とは別体で形成し、その取っ手をフレーム体１４にねじ等の固定部材を用いて固定するようにしてもよい。
【００６３】
・また、取っ手をフレーム体１４とは別体で形成する場合、その取っ手を板状に形成してもよいし、棒状に形成してもよい。例えば、取っ手を棒状に形成する場合、棒材を下方に凸となるように折り曲げることで取っ手を形成することが考えられる。この場合、棒材の上端側をフレーム体１４の外周枠部２１に固定し、棒材において凸部を含む下側部分を座部１３の側板部１６よりも下方に延出させ取っ手とする。この場合、取っ手における上記凸部を持って浴槽台１０を移動させることが可能となる。
【００６４】
但し、上記のように棒状の取っ手とした場合、取っ手を持って浴槽台１０を傾けた際に、使用者の指が座部１３の側板部１６等に干渉してしまうおそれがあるし、また取っ手の強度確保のために取っ手を金属製としなければならない等の制約が生じるおそれもある。このため、かかる点を鑑みると、上記実施形態のように、取っ手を板状に形成するのが望ましいといえる。
【００６５】
・上記実施形態では、取っ手３１をフレーム体１４に設けたが、取っ手３１を座部１３に設けるようにしてもよい。この場合、座部１３の側板部１６の一部を下方に突出させ、その突出した部分を取っ手とすることが考えられる。また、座部１３とは別体で取っ手を形成し、その取っ手を座部１３の側板部１６よりも下方に突出させた状態で当該座部１３に取り付けるようにしてもよい。これらの場合にも、取っ手を各支持脚１２との間に所定のスペースを形成するよう配置することで、使用者が座部１３に立ち座りする際の足引きスペースを確保しながら、取っ手を設けることができる。
【００６６】
なお、取っ手３１を座部１３に設ける場合には、取っ手３１を持って浴槽台１０を移動させる際に、フレーム体１４に係合状態で取り付けられた座部１３がフレーム体１４から外れてしまうことが懸念される。このため、取っ手３１を座部１３に設ける場合には、仮に座部１３がフレーム体１４から外れてもフレーム体１４が座部１３から脱落しないようにする脱落防止のための構成を設けるのが望ましい。
【００６７】
・上記実施形態では、取っ手３１の長辺方向（長辺部１１ａに沿う方向）の長さを下方に向かうにつれて小さくなるようにしたが、これを変更して、取っ手３１の長辺方向の長さを取っ手３１の上下方向全域に亘って同じ長さにしてもよい。
【００６８】
・上記実施形態では、取っ手３１を座部１３に設けたが、取っ手を支持脚１２に設けるようにしてもよい。その場合の例について図７及び図８を用いながら説明する。図７は、（ａ）が取っ手周辺の構成を斜め上方から見た斜視図であり、（ｂ）が斜め下方から見た斜視図である。図８は、取っ手の構成を示す概略平面図である。なお、図８では便宜上、台部１１を仮想線で示している。
【００６９】
図７及び図８に示すように、浴槽台５０には、台部１１よりも下方に隣り合う支持脚１２を連結する連結材５１が設けられている。連結材５１は、平面視において台部１１の各長辺部１１ａ側にそれぞれ設けられている。連結材５１は、台部１１から下方に離間させて配置されている。
【００７０】
連結材５１は、金属製の棒材が曲げ加工されることにより形成されている。連結材５１は、隣り合う支持脚１２にそれぞれ連結される一対の連結端部５１ａと、各連結端部５１ａからそれぞれ短辺部１１ｂの延びる方向（以下、短辺方向という）において浴槽台５０の内側に向けて延びる一対の第１部分５１ｂと、それら各第１部分５１ｂの端部同士（詳しくは反連結端部５１ａ側の端部同士）を繋ぐ第２部分５１ｃとを有する。連結材５１では、各第１部分５１ｂと第２部分５１ｃとにより中間部分が構成されている。この中間部分は、平面視において略コ字状をなしており、その溝部を浴槽台５０の外側に開放させた状態で配置されている。なお、連結材５１は、棒材により形成されることに代えて、帯板状の鋼板等により形成されてもよい。
【００７１】
連結材５１の各第１部分５１ｂは、浴槽台５０の内側に向かうほど互いに近づくよう短辺方向に対して傾斜させて形成されている。第２部分５１ｃは、長辺方向に沿って直線状に延びており、短辺方向において隣り合う支持脚１２よりも浴槽台５０の内側に位置している。連結材５１では、この第２部分５１ｃにより取っ手５３が形成されている。このため、浴槽台５０を移動させる際には、その取っ手５３を持って移動させることができる。
【００７２】
隣り合う支持脚１２の間には、この取っ手５３よりも浴槽台５０の外側となる所定のスペース５５が形成されている。このスペース５５は、使用者が台部１１上に座る際に足を台部１１下に引き入れることを可能とする足引きスペースとなっている。したがって、本浴槽台５０においても、取っ手５３と同じ側に足引きスペースが確保されている。このため、台部１１上に座る使用者の足と同じ側に取っ手５３を設けた構成にあって、その足引きスペースを利用して台部１１上への立ち座りをし易くすることができる。
【００７３】
・上記実施形態では、取っ手板部３３の裏側に突出する突出部３５を取っ手板部３３の下縁部３３ａと各側縁部３３ｂとに連続させて形成したが、これを変更して、突出部３５を取っ手板部３３の下縁部３３ａにのみ形成してもよい。その場合にも、突出部３５により指掛け部３６が形成されるため、その指掛け部３６に指を掛けながら取っ手３１を持つことができる。
【００７４】
なお、取っ手板部３３の裏側に突出部３５（指掛け部３６）を設けないようにしてもよい。
【００７５】
・上記実施形態では、フレーム体１４をアルミダイカスト（鋳造）により形成したが、フレーム体を、鋼板により形成したり、パイプ材を組み合わせて形成したりしてもよい。これらの場合にも、フレーム体に取っ手を設けることで、浴槽台１０の取り扱いをし易くすることができる。
【００７６】
・上記実施形態では、取っ手３１を台部１１の各長辺部１１ａにそれぞれ設けたが、取っ手３１を各長辺部１１ａのうちいずれか一方にのみ設けるようにしてもよい。
【００７７】
・上記実施形態では、台部１１を平面視において長方形状としたが、これを変更して、正方形状としてもよい。その場合、台部１１の各辺部のうちいずれかの辺部に取っ手３１を設け、その取っ手３１の両側に所定のスペース４１を形成すればよい。
【符号の説明】
【００７８】
１０…浴槽台、１１…台部、１１ａ…長辺部、１２…支持脚、１３…座部、１４…フレーム体、３１…取っ手、３３…取っ手板部、３３ａ…下縁部、３３ｂ…側縁部、３５…突出部、３６…指掛け部、４１…スペース。
【図１】
2020168318.tif 000003
【図２】
2020168318.tif 000004
【図３】
2020168318.tif 000005
【図４】
2020168318.tif 000006
【図５】
2020168318.tif 000007
【図６】
2020168318.tif 000008
【図７】
2020168318.tif 000009
【図８】
2020168318.tif 000010